(57)【要約】      （修正有）【課題】マグネシウム合金の表面からの水素イオンの放出を耐腐食性を維持しながら利用することができる櫛を提供する。【解決手段】櫛１は、長手方向を有する櫛基部１０から、複数本の櫛歯１１を短手方向に面状に並べて突出させ、櫛基部１０及び櫛歯１１をマグネシウム合金で形成すると共に、少なくとも櫛歯１１の全表面に漆塗膜１３を形成する。これにより、マグネシウム合金から放出される水素イオンを、耐腐食性を維持しながら利用することができる。【選択図】図１
0003231989.tif 000002
【実用新案登録請求の範囲】
【請求項１】
長手方向を有する櫛基部から、複数本の櫛歯を短手方向に面状に並べて突出させてなる櫛であって、
前記櫛基部及び前記櫛歯をマグネシウム合金で形成すると共に、少なくとも櫛歯の全表面に漆塗膜を形成したことを特徴とする櫛。
【請求項２】
前記面状に並べて突出させた櫛歯の面を、長手方向に沿った湾曲面形状にしたことを特徴とする請求項１記載の櫛。
【請求項３】
前記面状に並べて突出させた櫛歯群の各先端部を、前記櫛基部側に凸湾曲した曲線上に沿って配設したことを特徴とする請求項１記載の櫛。
【請求項４】
前記面状に並べて突出させた櫛歯の面を、長手方向に沿った湾曲面形状にすると共に、前記櫛歯群の各先端部を、前記櫛基部側に凸湾曲した曲線上に沿って配設したことを特徴とする請求項１記載の櫛。
【請求項５】
櫛の柄部を、前記櫛基部の長手方向の一端側から長手方向に延出形成したこと、又は前記櫛基部の長手方向の中間付近から短手方向に延出形成したことを特徴とする請求項１、２、又は３記載の櫛。
【考案の詳細な説明】
【技術分野】
【０００１】
本願考案は、髪の毛、又はペットの体毛を梳くための櫛、又はコームに関し、特に、全体をマグネシウム合金で形成すると共に、その表面に漆塗膜を形成した櫛に関する。
【背景技術】
【０００２】
髪の毛、又はペットの体毛を梳くための道具として、各種形態の櫛又はコームが提供されている。
【０００３】
これら櫛類は、合成樹脂、木材、竹、などで形成されており、中には耐久性と耐衝撃性の向上から金属材料で形成しているものがある。例えば、特許文献１の「被覆加工を施した金属製くし」では、金属材料で形成した本体に帯電防止を目的として特定の樹脂材を被覆加工した発明が開示されている。また特許文献２の「金属製櫛」にあっては、櫛を金属材料で形成して、耐衝撃性や耐屈曲性を解決課題として、より剛性を高めた金属材で構成したことを特徴とする発明が開示されている。さらに、特許文献３の「殺菌ブラシ、または櫛」にあっては、銅イオンまたは銀イオンを放出可能な電極を持つ櫛またはブラシであって、電解液として機能する液体を組み合わせたもので、ヒトやペットや家畜の皮膚、毛髪、被毛に対して微量金属作用である抗菌効果を利用して、菌由来のフケ、かゆみ、皮膚病、臭いなどの防止を解決課題とした発明が開示されている。
【先行技術文献】
【特許文献】
【０００４】
【特許文献１】実開昭５６−５６８０３号公報
【特許文献２】特開２０１１−４５６８４号公報
【特許文献３】特開２０２０−１８５２９１号公報
【考案の概要】
【考案が解決しようとする課題】
【０００５】
上記した特許文献１〜特許文献３として開示されている発明は、金属材で形成している点で共通するが、その解決課題は区々であり、金属材の物性そのものに着目した材料の選択を行ったものでは無かった。
【０００６】
本願考案は、マグシウム合金が実用金属中で最も軽く、強度／比重で示される比強度が最大の金属であり、減衰能、耐窪み性、切削性に優れた金属として知られていることに加えて、マグネシウム合金は、酸化されて水素イオンが放出され、それが美肌効果や毛艶向上などに有効であると言われていることに着目し、これを期待して主形成材としたものである。
【０００７】
ところで、マグネシウム合金は、上記の優れた特性を有する一方で、アルミや鉄に比べてイオン化傾向が高く腐食しやすい（すなわち、耐腐食性が低い。）ため、それを防止するため表面に塗装を行うのが一般的であった。
【０００８】
しかし、通常の塗装では、マグネシウム合金の表面からの水素イオンの放出を抑えることになってしまい、上記の美肌効果や毛艶向上を期待でき難いものとなる課題がある。
【０００９】
そこで、本考案は、上記課題に鑑みて、マグネシウム合金材で櫛を形成すると共に、漆塗膜に通気性があることに着目して、マグネシウム合金の特性を生かした櫛の提供を目的とする。
【課題を解決するための手段】
【００１０】
上記の課題を解決するため本考案に係る櫛は、以下のように構成している。
【００１１】
長手方向を有する櫛基部から、複数本の櫛歯を短手方向に面状に並べて突出させてなる櫛であって、前記櫛基部及び前記櫛歯をマグネシウム合金で形成すると共に、少なくとも櫛歯の全表面に漆塗膜を形成したことを特徴とする。
【００１２】
また、前記面状に並べて突出させた櫛歯の面を、平面状の他に、長手方向に湾曲させた湾曲面形状にしたことを特徴とする。
【００１３】
さらに、前記面状に並べて突出させた櫛歯群の各先端部を、前記櫛基部側に凸湾曲した曲線上に沿って配設したことを特徴とする。
【００１４】
さらにまた、上記したように前記面状に並べて突出させた櫛歯の面を、長手方向に湾曲させた湾曲面形状にすると共に、前記櫛歯群の各先端部を、前記櫛基部側に凸湾曲した曲線上に並べて配設したことを特徴とする。
【００１５】
加えて、櫛の柄部を、前記櫛基部の長手方向の一端側から長手方向に延出形成したこと、又は前記櫛基部の長手方向の中間付近から短手方向に延出形成したことを特徴とする。
【考案の効果】
【００１６】
本考案の櫛は、マグネシウム合金で形成することより軽量でかつ比強度の高い金属性の櫛とすることに加えて、マグネシウム合金の表面に漆塗膜を形成することにより、マグネシウム合金から放出される水素イオンを、耐腐食性を維持しながら利用することができる効果を奏する。
【００１７】
別言すると、通常の化学合成の塗料に比べて、天然漆を主成分とした漆塗膜を適宜に調整して一定の通気性を確保することにより、マグネシウム合金の酸化作用により放出される水素イオンを利用して、皮膚及び毛髪への生理的な良効果を期待することができる。
【図面の簡単な説明】
【００１８】
【図１】本考案の実施形態１（以下「本形態１」）にかかる櫛であり、（Ａ）は櫛歯群の並び面を望む平面図であり、（Ｂ）はＡ−Ａ線拡大断面である。
【図２】本考案の実施形態２（以下「本形態２」）にかかる櫛の全体斜視図である。
【図３】本考案の実施形態２（以下「本形態２」）にかかる櫛であり、（Ａ）は櫛歯群の並び面を望む平面図であり、（Ｂ）は櫛歯群の各先端部の配列を望む平面図ある。
【考案を実施するための形態】
【００１９】
以下に、本考案にかかる実施の形態例について、図面に基づき説明する。ただし、本考案は、以下に示す実施の形態の記載内容に限定して解釈されるものではなく、当業者であれば容易に理解される範囲で、本考案の趣旨及びその範囲から逸脱することなくその形態及び詳細を様々に変更することは可能である。
【００２０】
［実施の形態１］
まず、本考案にかかる基本形態である実施の形態１（以下、「本形態１」という。）について説明する。図１を参照して、本形態１における櫛１は、形成部材の形態が長手方向を有する小幅帯体状の櫛基部１０から、短手方向に複数本が所定間隔をもって平行に突設した櫛歯１１を面状に並べた状態（この面を「並び面１２」という。）に形成している。該櫛歯１１のそれぞれの突出長さは同じに設定しており、かつ隣接する櫛歯１１どうしの間隔は、髪すきに適した間隔を考慮して適宜に設定している。
【００２１】
これら櫛基部１０と櫛歯１１から構成された櫛１は、その全てがマグネシウム合金で形成している。マグネシウム合金は、マグネシウム（Ｍｇ）にアルミ（Ａｌ）と亜鉛（Ｚｎ）を所定の割合で添加して形成されるものであるが、その合金形成方法は既存の公知技術（例えば、アルミ３％、亜鉛１％、のＡＺ３１合金、又はＡＺ９１合金、等）に則って形成しているため、詳細は省略する。
【００２２】
さらに、櫛基部１０と櫛歯１１の全表面には、天然漆を調合して塗布した漆塗膜１３を形成している。なお、漆塗膜１３の形成範囲は、髪と直接接触する櫛歯１１のみであってもよく、この状態でも本考案の目的を十分に実現できる。なお、この場合、櫛基部１０の表面には、従来例の耐腐食性の高い塗料を塗布することが好ましい。
【００２３】
一般的に金属表面への漆塗膜１３の形成方法は、幾つかの方法が公開されている。本考案は、櫛全体をマグネシウム合金で形成すると共に、その表面に漆塗膜１３を形成したことに本考案の思想があるため、漆の塗布方法自体は、従来の手法を用いてもよい。しかし、本考案では、マグネシウム合金の表面の付着性を高めるため、最適なプライマリー処理を行った後に着色層を形成し、さらにその上層に天然漆を主成分として調整した紫外線硬化型の漆塗料を塗布している。これに加え、趣向を凝らした蒔絵を施してもよい。
【００２４】
また、櫛基部１０の長手方向の一端部側には、手で把持するための柄部１４を長手方向に延出形成している。該柄部１４の形状は、用途に合わせて適宜の形状にされる。本形態１においては、所定厚さと幅をもって櫛歯１１と反対の長手方向に延長させて形成している。また、これに限らず先端に向かって漸次縮径させた円錐状に形成してもよい。さらには、図示は省略するが、折り畳み式や環状形など、従来例の櫛やコームの柄部の形態と同様に形成してもよい。
【００２５】
さらに、前記各櫛歯１１どうしの間隔にあっては、全ての櫛歯１１の間隔を同一としているが、これに限定することなく、長手方向の適宜の位置で間隔を変化させてもよい。さらにまた、前記櫛歯１１の突出量（別称「歯長」）にあっては、全て同じに設定しているが、適宜に間隔で歯長に変化を持たせてもよい。
【００２６】
［実施の形態２］
次に、本形態２における櫛２は、上述の本形態１の変形例である。すなわち、本形態１が、面状に並べた櫛歯１１群の並び面１２を平面状に配設したことに対して、本形態２では、当該並び面２３を湾曲面形状にしたものである。すなわち、櫛基部２０から本形態１と同様に突出させた複数本の櫛歯２１の並び面２３を、長手方向に沿って湾曲させた湾曲面形状にしたことを特徴としている。この曲面の曲率は、髪を梳く時の櫛歯２１を通過する髪の量を考慮して、適宜に設定している。例えば、梳く量の少ない毛髪（主に、男性用）にあっては、曲率を小さく設定（曲がり具合が緩い。）し、逆に、多い量（主に、女性用）にあっては、曲率を大きく設定（曲がり具合がきつい。）するなど、種々の観点から歯長と曲がり具合を設定している。なお、櫛２の柄部２２は櫛１とは異なり、先端に向かって漸次縮径させた円錐状に形成している。
【００２７】
次に、前記複数本の櫛歯２１は、その各先端部が線上に沿って並んだ位置状態を呈しており、かつその線（これを「先端並び線２４」という。）は、櫛基部２０側に凸湾曲した曲線形を呈している。この湾曲した先端並び線２４の曲率は、人の頭の形状を考慮して形成している。これにより梳かした時に、各櫛歯２１の先端部が、頭皮に均等に接触して好適な刺激を与えることができる。
【００２８】
［他の実施例］
上記本形態２においては、上記本形態１の形態から、並び面２３を湾曲面形状とすると共に、先端並び線２４を曲線として構成しているが、これに限らず、本形態２の形態から、並び面２３、又は先端並び線２４の何れかの特徴を取り入れた他の形態とすることも可能である。
【符号の説明】
【００２９】
１    櫛（本形態１）
１０  櫛基部
１１  櫛歯
１２  並び面
１３  漆塗膜
１４  柄部
２    櫛（本形態２）
２０  櫛基部
２１  櫛歯
２２  柄部
２３  並び面
２４  先端並び線
【図１】
0003231989.tif 000003
【図２】
0003231989.tif 000004
【図３】
0003231989.tif 000005